(57)【要約】【課題】組立性が良好で嵩張らない収容ケースを提供する。【解決手段】両端板部３５を両端板折り線部３４により底板部から立ち上がり形成する。両端板上部３７を両上端折り線部３６により底板部に対向させる。両収容端板部４２を両収容端板折り線部４１により底板部側へと折り曲げ形成する。両端板固定部を底板部に固定する。両側板部５２を両側板折り線部５１により底板部から立ち上がり形成する。両側板上部５４を両上側折り線部５３により底板部に対向させる。両収容側板部５７を両収容側板折り線部５６により底板部側に折り曲げ形成して両収容端板部４２とともに収容部６４を形成する。両側板固定部６２を両端板固定部の上部に固定する。差し込み係合などをすることなく収容部６４を形成できるため、組立性が良好になる。被収容物を未収容時には、各折り線部により収容ケース３１をシート状にできるため、嵩張ることがない。【選択図】　　　　図１
2004090946.tif 000002
【特許請求の範囲】
【請求項１】
板紙材で矩形状に形成された底板部と、
この底板部の互いに対向する一方の一対の側部に端板折り線部を介して連接して設けられ、これら端板折り線部により前記底板部から立ち上がり形成される端板部と、
これら端板部の先端側に上端折り線部を介して連接して設けられ、これら上端折り線部により前記底板部に対向する端板上部と、
これら端板上部の先端側に収容端板折り線部を介して連接して設けられ、これら収容端板折り線部により前記底板部側へと折り曲げ形成される収容端板部と、これら収容端板部の先端側に端板固定折り線部を介して連接して設けられ、前記底板部に固定される端板固定部と、
前記底板部の互いに対向する他方の一対の側部に側板折り線部を介して連接して設けられ、これら側板折り線部により前記底板部から立ち上がり形成される側板部と、
これら側板部の先端側に上側折り線部を介して連接して設けられ、これら上側折り線部により前記底板部に対向する側板上部と、
これら側板上部の先端側の一部に収容側板折り線部を介して連接して設けられ、かつこれら収容側板折り線部により前記底板部側に折り曲げ形成され、被収容物を収容する収容部を前記収容端板部とともに形成する収容側板部と、
これら収容側板部の先端側に側板固定折り線部を介して連接して設けられ、前記端板固定部の上部に固定される側板固定部と
を具備したことを特徴とした収容ケース。
【請求項２】
端板固定部および側板固定部は、それぞれ貼着固定される
ことを特徴とした請求項１記載の収容ケース。
【発明の詳細な説明】
【０００１】
【発明の属する技術分野】
本発明は、板紙材で形成された底板部を備えた収容ケースに関する。
【０００２】
【従来の技術】
従来、この種の収容ケースとしては、例えば図４に示す構成が知られている。
【０００３】
この図４に示す収容ケースは、例えば段ボールなどの板紙材で矩形状に形成された底板部１を備えており、この底板部１の両端部には、矩形状の端板部２が折り線部３を介して連接してそれぞれ設けられている。これら端板部２は、折り線部３により底板部１から立ち上がり形成される。
【０００４】
また、端板部２の先端側には、底板部１に対向する端板上部４が折り線部５を介して連接してそれぞれ設けられている。これら端板上部４には、長孔６が貫通して設けられている。
【０００５】
さらに、端板上部４の先端側には、底板部１側に折り曲げ形成される収容端板部７が折り線部８を介して連接してそれぞれ設けられている。
【０００６】
そして、収容端板部７の先端側には、底板部１上に貼着固定される貼着固定部１１が折り線部１２を介して連接してそれぞれ設けられている。
【０００７】
一方、底板部１の両側部には、略矩形状の側板部１３が折り線部１４を介して連接してそれぞれ設けられており、これら側板部１３の先端側には、側板上部１５が折り線部１６を介して連接してそれぞれ設けられている。
【０００８】
また、側板上部１５の先端側の一部には、収容側板部１７が折り線部１８を介して連接してそれぞれ設けられている。
【０００９】
また、これら収容側板部１７の先端側には、底板部１側に折り曲げ形成される折込片部２１が折り線部２２を介して連接してそれぞれ設けられている。
【００１０】
さらに、側板上部１５の先端側における収容側板部１７の両側部には、長孔６に差し込み係合される挿入部２３が折り線部２４を介して連接してそれぞれ設けられている。
【００１１】
そして、上記図４に示す収容ケースは、折り線部３，５，８，１２により端板部２、端板上部４、収容端板部７および貼着固定部１１をそれぞれ折り曲げ形成し、この貼着固定部１１を底板部１に貼着固定した後、側板部１３および側板上部１５を折り線部１４，１６により折り曲げ形成し、折込片部２１を折り線部２２から側板上部１５の下側へと折り込みつつ、一対の挿入部２３を長孔６に位置合わせして差し込み係合し、側板上部１５を端板部２に固定して収容部２５を立体形成する。
【００１２】
【発明が解決しようとする課題】
しかしながら、上述の収容ケースでは、組み立ての際に一対の挿入部２３を長孔６に位置合わせして差し込み係合しなければならず、また、折込片部２１を折り線部２２から側板上部１５の下側へと折り込むなど組立作業が煩雑で、組立性が良好でないという問題点を有している。
【００１３】
また、端板部２の厚みにより、被収容物の未収容時でも側板上部１５などを端板部２側に折り畳むことができず、嵩張りやすいという問題点も有している。
【００１４】
本発明はこのような点に鑑みなされたもので、組立性が良好で嵩張りにくい収容ケースを提供することを目的とする。
【００１５】
【課題を解決するための手段】
請求項１記載の収容ケースは、板紙材で矩形状に形成された底板部と、この底板部の互いに対向する一方の一対の側部に端板折り線部を介して連接して設けられ、これら端板折り線部により前記底板部から立ち上がり形成される端板部と、これら端板部の先端側に上端折り線部を介して連接して設けられ、これら上端折り線部により前記底板部に対向する端板上部と、これら端板上部の先端側に収容端板折り線部を介して連接して設けられ、これら収容端板折り線部により前記底板部側へと折り曲げ形成される収容端板部と、これら収容端板部の先端側に端板固定折り線部を介して連接して設けられ、前記底板部に固定される端板固定部と、前記底板部の互いに対向する他方の一対の側部に側板折り線部を介して連接して設けられ、これら側板折り線部により前記底板部から立ち上がり形成される側板部と、これら側板部の先端側に上側折り線部を介して連接して設けられ、これら上側折り線部により前記底板部に対向する側板上部と、これら側板上部の先端側の一部に収容側板折り線部を介して連接して設けられ、かつこれら収容側板折り線部により前記底板部側に折り曲げ形成され、被収容物を収容する収容部を前記収容端板部とともに形成する収容側板部と、これら収容側板部の先端側に側板固定折り線部を介して連接して設けられ、前記端板固定部の上部に固定される側板固定部とを具備したものである。
【００１６】
そして、板紙材で矩形状に形成した底板部の互いに対向する一方の一対の側部に設けた端板部を端板折り線部により底板部から立ち上がり形成し、これら端板部の先端側に設けた端板上部を上端折り線部により底板部に対向させ、これら端板上部の先端側に設けた収容端板部を収容端板折り線部により底板部側へと折り曲げ形成し、これら収容端板部の先端側に設けた端板固定部を底板部に固定するとともに、底板部の互いに対向する他方の一対の側部に設けた側板部を側板折り線部により底板部から立ち上がり形成し、これら側板部の先端側に設けた側板上部を上側折り線部により底板部に対向させ、これら側板上部の先端側の一部に設けた収容側板部を収容側板折り線部により底板部側に折り曲げ形成して被収容物を収容する収容部を収容端板部とともに形成し、これら収容側板部の先端側に設けた側板固定部を端板固定部の上部に固定することにより、例えば差し込み係合などをすることなく組み立てでき、組立性が良好になるとともに、被収容物を未収容時には、各折り線部によりシート状にできるため、嵩張ることがない。
【００１７】
請求項２記載の収容ケースは、請求項１記載の収容ケースにおいて、端板固定部および側板固定部は、それぞれ貼着固定されるものである。
【００１８】
そして、端板固定部および側板固定部をそれぞれ貼着固定することにより、端板固定部および側板固定部をより容易に固定できるため、組立性がより良好になる。
【００１９】
【発明の実施の形態】
以下、本発明の収容ケースの一実施の形態の構成を図１ないし図３を参照して説明する。
【００２０】
図１において、３１は例えば立体模型などの被収容物を収容する収容ケースであり、この収容ケース３１は、例えば段ボールなどの板紙材３２で形成されている。また、図２に示すように、この収容ケース３１は、平面視でこの図２における左右方向および上下方向にそれぞれ対称な形状となっている。さらに、この収容ケース３１は、矩形状の底板部３３を備えている。そして、この底板部３３の互いに対向する一方の一対の側部である両端部には、端板折り線部３４を介して細長矩形状の端板部３５が連接して設けられている。
【００２１】
これら両端板部３５は、それぞれ底板部３３の幅方向に長手方向を有しており、底板部３３の幅寸法と等しい長手寸法に形成されている。そして、これら両端板部３５は、両端板折り線部３４により底板部３３の上側に折り曲げられて底板部３３からそれぞれ立ち上がり形成される。
【００２２】
また、両端板部３５における両端板折り線部３４と反対側の側部、すなわち両端板部３５の先端側である上端部には、上端折り線部３６を介して矩形状の端板上部３７が連接してそれぞれ設けられている。
【００２３】
これら両端板上部３７は、端板部３５の長手方向に長手方向を有しており、端板部３５と等しい長手寸法、かつ端板部３５よりも大きい幅寸法にそれぞれ形成されている。
【００２４】
さらに、両端板上部３７は、両上端折り線部３６により収容ケース３１の内方へと折り曲げられて、底板部３３にそれぞれ対向する。
【００２５】
そして、両端板上部３７における両端板部３５と反対側の側部、すなわち両端板上部３７の先端側には、収容端板折り線部４１を介して細長矩形状の収容端板部４２が連接してそれぞれ設けられている。
【００２６】
これら両収容端板部４２は、端板上部３７の長手方向に長手方向を有しており、端板上部３７と等しい長手寸法、かつ端板部３５よりも若干小さい幅寸法に形成されている。
【００２７】
また、両収容端板部４２は、両収容端板折り線部４１により底板部３３側へこの底板部３３に対して略垂直に折り曲げ形成される。
【００２８】
さらに、両収容端板部４２における両端板上部３７と反対側の側部、すなわち両収容端板部４２の先端側である下端部には、ミシン目状の端板固定折り線部４３を介して略矩形状の端板固定部４４が連接してそれぞれ設けられている。
【００２９】
これら両端板固定部４４は、収容端板部４２の長手方向に長手方向を有しており、収容端板部４２の長手寸法と等しい長手寸法、かつ端板部３５よりも大きく端板上部３７よりも小さい幅寸法に形成されている。また、これら両端板固定部４４の両端部は、両収容端板部４２と反対側、すなわち両端板固定部４４の先端側に向かって両端板固定部４４の長手方向の中心側に傾斜している。したがって、これら両端板固定部４４は、先端側に向かって長手寸法が小さくなるように形成されている。
【００３０】
また、両端板固定部４４の上面には、貼着テープとしての両面テープ４５が貼付されている。これら両面テープ４５は、両端板固定部４４の長手方向に互いに離間されて貼付されている。そして、両端板固定部４４は、両端板固定折り線部４３により底板部３３に沿って折り曲げられ、両面テープ４５により底板部３３の上部に貼着固定される。
【００３１】
ここで、端板上部３７、両収容端板部４２および端板固定部４４の幅寸法の総和は、底板部３３の長手寸法の半分および端板部３５の幅寸法の和と略等しく形成されている。したがって、端板固定部４４は、図３に示すように、底板部３３の長手方向の中心域に隣接してそれぞれ貼着固定される。
【００３２】
一方、底板部３３の互いに対向する他方の一対の側部である両側部には、図２に示すように、側板折り線部５１を介して細長矩形状の側板部５２が連接してそれぞれ設けられている。これら両側板部５２は、それぞれ底板部３３の長手方向に長手方向を有しており、底板部３３の長手寸法と等しい長手寸法、かつ端板部３５よりも若干大きい幅寸法に形成されている。
【００３３】
さらに、これら両側板部５２は、両側板折り線部５１により両端板部３５と同側に折り曲げられて底板部３３からそれぞれ立ち上がり形成される。
【００３４】
そして、両側板部５２における両側板折り線部５１と反対側の側部、すなわち両側板部５２の先端側である上端部には、上側折り線部５３を介して略矩形状の側板上部５４が連接してそれぞれ設けられている。
【００３５】
これら両側板上部５４は、側板部５２の長手方向に長手方向を有しており、側板部５２と等しい長手寸法、かつ側板部５２よりも大きい幅寸法にそれぞれ形成されている。
【００３６】
また、両側板上部５４は、両上側折り線部５３により収容ケース３１の内方へと折り曲げられて、両端板上部３７の上方から底板部３３にそれぞれ対向する。
【００３７】
さらに、両側板上部５４における両側板部５２と反対側、すなわち両側板上部５４の先端側の長手方向の中心域には、矩形状の切欠部５５がそれぞれ切り欠き形成されている。これら両切欠部５５は、側板上部５４の長手方向に長手方向を有しており、側板上部５４の長手寸法よりも小さい長手寸法、かつ側板上部５４の約半分程度の幅寸法に形成されている。
【００３８】
そして、両切欠部５５は、側板上部５４の幅方向の中心域から側板上部５４の先端側に亘って切り欠き形成されており、これら両切欠部５５により、両側板上部５４はそれぞれ平面視で略凹字状に形成されている。
【００３９】
また、両切欠部５５の側部には、収容側板折り線部５６を介して矩形状の収容側板部５７が両側板上部５４に連接してそれぞれ設けられている。
【００４０】
これら両収容側板部５７は、側板上部５４の長手方向に長手方向を有しており、切欠部５５の長手寸法と略等しい長手寸法、かつ収容端板部４２よりも若干小さい幅寸法に形成されている。この結果、両収容側板部５７は、切欠部５５の幅寸法の約半分ほどまで突出している。
【００４１】
さらに、両収容側板部５７は、両収容側板折り線部５６により底板部３３側へこの底板部３３に対して略垂直に折り曲げ形成される。
【００４２】
また、両収容側板部５７における両収容側板折り線部５６と反対側、すなわち両収容側板部５７の先端側には、ミシン目状の側板固定折り線部６１を介して側板固定部６２が連接してそれぞれ形成されている。
【００４３】
これら両側板固定部６２は、側板上部５４の長手方向に長手方向を有しており、収容側板部５７の長手寸法と等しい長手寸法、かつ収容側板部５７の幅寸法よりも大きい幅寸法に形成されている。このため、両側板固定部６２は、両切欠部５５から両側板上部５４の側方へと突出し、側板上部５４、収容側板部５７および側板固定部６２が平面視で略凸字状に形成されている。
【００４４】
さらに、両側板固定部６２の上面には、貼着テープとしての両面テープ６３がそれぞれ貼付されている。これら両面テープ６３は、側板固定部６２の長手方向に貼付されている。そして、側板固定部６２は、側板固定折り線部６１により底板部３３に沿って折り曲げられ、両面テープ６３により両端板固定部４４の上部に貼着固定される。
【００４５】
ここで、上側折り線部５３から側板固定部６２の先端部までの長さ寸法は、底板部３３の幅寸法の半分および側板部５２の幅寸法の和と略等しく形成されている。したがって、両側板固定部６２は、図３に示すように、底板部３３の長手方向の中心域、かつ両端板固定部４４の上部に隣接してそれぞれ固定される。
【００４６】
この結果、図１に示すように、両収容端板部４２および両収容側板部５７により底板部３３の略中心域の上方に矩形状の収容部６４が形成される。この収容部６４には、図示しない被収容物が収容される。
【００４７】
次に、上記一実施の形態の作用効果を説明する。
【００４８】
収容ケース３１を組み立てる際には、まず、両端板折り線部３４から両端板部３５をそれぞれ折り曲げて立ち上がり形成する。
【００４９】
次いで、両上端折り線部３６から両端板上部３７を収容ケース３１の内方へとそれぞれ折り曲げ、底板部３３に対向させる。
【００５０】
さらに、両収容端板折り線部４１から両収容端板部４２を底板部３３側へとそれぞれ折り曲げる。
【００５１】
そして、両端板固定折り線部４３から両端板固定部４４を底板部３３に沿わせてそれぞれ折り曲げ、両面テープ４５によりこれら両端板固定部４４を底板部３３の略中心域にそれぞれ貼着固定する。
【００５２】
この後、両側板折り線部５１から両側板部５２をそれぞれ折り曲げ、両端板部３５と同側に立ち上がり形成する。
【００５３】
また、両上側折り線部５３から両側板上部５４を収容ケース３１の内方へとそれぞれ折り曲げ、底板部３３および両端板上部３７の上部に対向させる。このとき、両端板上部３７の上部に例えば接合剤などを塗布し、両端板上部３７の上部と両側板上部５４の下面部とを接合して固定する。
【００５４】
さらに、両収容側板折り線部５６から両収容側板部５７を底板部３３側へとそれぞれ折り曲げる。
【００５５】
次いで、両側板固定折り線部６１から両側板固定部６２を底板部３３に沿わせてそれぞれ折り曲げ、底板部３３の略中心域の上方の両端板固定部４４の上部に貼着固定する。
【００５６】
そして、収容ケース３１にて被収容物を収容する際には、端板折り線部３４、上端折り線部３６、収容端板折り線部４１、端板固定折り線部４３、側板折り線部５１、上側折り線部５３、収容側板折り線部５６および側板固定折り線部６１から、両端板部３５、両収容端板部４２、両側板部５２および両収容側板部５７をそれぞれ曲げ起こすとともに、両端板上部３７の上部に例えば接合剤などを塗布して両端板上部３７と両側板上部５４とを接合して、収容部６４を形成する。
【００５７】
この結果、例えば差し込み係合などをすることなく、折り曲げおよび貼着固定のみにより容易に収容部６４を形成できるので、収容ケース３１の組立性を良好にできる。
【００５８】
一方、被収容物を未収容時には、端板折り線部３４、上端折り線部３６、収容端板折り線部４１、端板固定折り線部４３、側板折り線部５１、上側折り線部５３、収容側板折り線部５６および側板固定折り線部６１により、両端板部３５、両収容端板部４２、両側板部５２および両収容側板部５７を平らに潰して収容ケース３１をシート状にできるので、嵩張りにくくでき、保管などの際に省スペース化できる。
【００５９】
さらに、両端板固定部４４および両側板固定部６２をそれぞれ両面テープ６３で貼着固定することにより、両端板固定部４４および両側板固定部６２をより容易に固定できるため、組立性をより向上できる。
【００６０】
なお、上記一実施の形態において、両端板固定部４４および両側板固定部６２の固定方法は、貼着固定に限定されるものではない。
【００６１】
【発明の効果】
請求項１記載の収容ケースによれば、板紙材で矩形状に形成した底板部の互いに対向する一方の一対の側部に設けた端板部を端板折り線部により底板部から立ち上がり形成し、これら端板部の先端側に設けた端板上部を上端折り線部により底板部に対向させ、これら端板上部の先端側に設けた収容端板部を収容端板折り線部により底板部側へと折り曲げ形成し、これら収容端板部の先端側に設けた端板固定部を底板部に固定するとともに、底板部の互いに対向する他方の一対の側部に設けた側板部を側板折り線部により底板部から立ち上がり形成し、これら側板部の先端側に設けた側板上部を上側折り線部により底板部に対向させ、これら側板上部の先端側の一部に設けた収容側板部を収容側板折り線部により底板部側に折り曲げ形成して被収容物を収容する収容部を収容端板部とともに形成し、これら収容側板部の先端側に設けた側板固定部を端板固定部の上部に固定することにより、例えば差し込み係合などをすることなく組み立てでき、組立性が良好になるとともに、被収容物を未収容時には、各折り線部によりシート状にできるため、嵩張ることがない。
【００６２】
請求項２記載の収容ケースによれば、端板固定部および側板固定部をそれぞれ貼着固定することにより、端板固定部および側板固定部をより容易に固定できるため、組立性をより良好にできる。
【図面の簡単な説明】
【図１】本発明の収容ケースの一実施の形態を示す斜視図である。
【図２】同上収容ケースを示す展開図である。
【図３】同上収容ケースを示す斜視図である。
【図４】従来例の収容ケースを示す斜視図である。
【符号の説明】
３１　　収容ケース
３２　　板紙材
３３　　底板部
３４　　端板折り線部
３５　　端板部
３６　　上端折り線部
３７　　端板上部
４１　　収容端板折り線部
４２　　収容端板部
４３　　端板固定折り線部
４４　　端板固定部
５１　　側板折り線部
５２　　側板部
５３　　上側折り線部
５４　　側板上部
５６　　収容側板折り線部
５７　　収容側板部
６１　　側板固定折り線部
６２　　側板固定部
６４　　収容部
【図１】
2004090946.tif 000003
【図２】
2004090946.tif 000004
【図３】
2004090946.tif 000005
【図４】
2004090946.tif 000006